(57)【特許請求の範囲】
【請求項１】
防水性を有する柔軟なフィルムである基材と、前記基材に密着し前記基材よりも剛性の高い支持体と、前記基材の一方の面に塗布された粘着剤と、前記粘着剤の表面に貼り付けられた剥離紙と、前記支持体の前記基材とは反対側に接着され前記基材の長手方向に沿って前記支持体中央部に設けられた支持体剥離片とを備え、
前記基材、前記支持体、前記剥離紙、及び前記支持体剥離片は細長いテープ状に形成され、前記支持体はその幅が前記基材よりも広く形成され前記基材の長手方向に沿って側方に突出し、
前記支持体剥離片はその幅が前記基材よりも狭く形成され、前記支持体と前記支持体剥離片を貫通して形成された溝状の除去部が、前記支持体剥離片と前記支持体を各々分割するように設けられ、
前記除去部は前記支持体剥離片の長手方向に沿って設けられ、前記除去部の底部には前記基材が露出し、前記剥離紙には、前記剥離紙を分割する切断線が設けられ、前記切断線は長手方向に沿って前記基材面上で前記除去部とは対向しない位置に設けられ、前記除去部の底部に隣接して前記基材と前記支持体が接した部分には、前記除去部の除去工程にともなって形成された、短い幅で前記基材と前記支持体が密着していない非密着部が設けられていることを特徴とする粘着フィルムドレッシング。
【請求項２】
前記除去部は、０．１ｍｍ〜２０ｍｍの幅で形成されている請求項１記載の粘着フィルムドレッシング。
【請求項３】
前記支持体は、前記基材よりも両側に幅広に形成され、前記基材の長手方向に沿って両側に突出していることを特徴とする請求項１又は２記載の粘着フィルムドレッシング。
【発明の詳細な説明】
【技術分野】
【０００１】
この発明は、人体や動物の身体の火傷、切傷、裂傷、縫合傷、その他炎症部位などの創傷部や創傷部を被覆したパッド類を覆うように粘着して、水ぬれ等から保護する粘着フィルムドレッシングに関する。
【背景技術】
【０００２】
従来、身体の創傷部を入浴や家事の際に湯水から保護するため、防水性を有しかつ酸素と水蒸気に対して高い透過性を有するフィルムで作られた粘着フィルムドレッシングが用いられている。このような粘着フィルムドレッシングは、柔軟性と伸縮性を有する薄いフィルムで作られ、身体の動きを妨げずに皮膚の動きにともなって変形することができる。また粘着剤は高い粘着力を有し、確実に皮膚に貼着され、高い防水機能を有している。その一方で、皮膚に貼着する際にしわができたり、カールして粘着剤どうしが付着する等、取り扱いが面倒であった。
【０００３】
取り扱いが容易な粘着フィルムドレッシングとして、特許文献１に開示されているロール状医療用絆創膏及びその収納容器並びに使用方法がある。これは、プラスチックフィルムからなる基材と、基材の一方の面に設けられた感圧性接着剤層と、この感圧性接着剤層上に貼着された剥離紙と、基材の他方の面に熱圧着され再剥離可能に貼着された支持体が設けられている。この支持体は、基材の幅方向の中間に付き合わされた２枚で設けられている。支持体の付き合わされた部分は、剥離しやすいように非粘着部が設けられ、基材とは粘着していない状態となっている。支持体の、突き合わされた部分の上には、所望幅のプラスチック粘着テープで作られた支持体剥離片が設けられている。支持体剥離片の長手方向の側縁部は、剥離しやすいように非粘着部が設けられ、支持体から浮いた状態となっている。
【特許文献１】特開２０００−２５４１６４号公報
【発明の開示】
【発明が解決しようとする課題】
【０００４】
上記特許文献１の場合、支持体の付き合わされた部分の上に設けられた支持体剥離片は、支持体の端部に沿った線で分割されていないため、支持体剥離片を剥がすと同時に一方の支持体が支持体剥離片に着いて剥がされた後、残された他方の支持体を剥離するとき支持体自体にコシがないため、剥がしにくいものであった。また、製造工程は、支持体と支持体剥離片に非粘着部を設けなければならず、製造工程が多いものであった。
【０００５】
この発明は、上記背景技術の問題点に鑑みてなされたものであり、簡単な製造工程で、基材から支持体を容易に剥がしてきれいに皮膚に貼着することができる粘着フィルムドレッシングを提供することを目的とする。
【課題を解決するための手段】
【０００６】
この発明は、防水性を有する柔軟なフィルムである基材と、前記基材に密着し前記基材よりも剛性の高い支持体と、前記基材の一方の面に塗布された粘着剤と、前記粘着剤の表面に貼り付けられた剥離紙と、前記支持体の前記基材とは反対側に接着され前記支持体中央部に設けられた支持体剥離片とを備え、前記基材、前記支持体、前記剥離紙、及び前記支持体剥離片はテープ状に形成され、前記支持体はその幅が前記基材よりも広く形成され前記基材の長手方向に沿って側方に突出し、前記支持体剥離片はその幅が前記基材よりも狭く形成され、前記支持体と前記支持体剥離片を貫通して形成された溝状の除去部が、前記支持体剥離片と前記支持体を各々分割するように設けられ、前記除去部は前記支持体剥離片の長手方向に沿って設けられ、前記除去部の底部には前記基材が露出し、前記剥離紙には、前記剥離紙を分割する切断線が設けられ、前記切断線は長手方向に沿って前記基材面上で前記除去部とは異なる位置に設けられている粘着フィルムドレッシングである。
【０００７】
さらに、前記除去部の底部に隣接して前記基材と前記支持体が接した部分には、前記除去部の製造工程での除去により、短い幅で前記基材と前記支持体が密着していない非密着部が設けられている。
【０００８】
前記除去部は、０．１ｍｍ〜２０ｍｍが適当であるが、広すぎると貼着時に前記基材がシワなり使用し難くなり、狭すぎると前記支持体を前記基材より剥離し難くなる。その為、前記除去部は１ｍｍ〜５ｍｍの幅で形成されているのが好ましい。
【０００９】
また、前記支持体は、前記基材よりも幅広に形成されていると、より取り扱いが容易となる。前記支持体は、その幅が前記基材よりも両側に広く形成され、前記基材の長手方向に沿って両側に突出しているものでも良い。
【発明の効果】
【００１０】
本発明の粘着フィルムドレッシングは、簡単な製造工程で、基材から支持体を容易に剥がすことができる。これにより、基材をきれいに皮膚に貼ることができ、確実に水や菌等から創傷を保護することができる。
【発明を実施するための最良の形態】
【００１１】
以下、この発明の実施形態について図面に基づいて説明する。図１、図２はこの発明の一実施形態を示すもので、この実施形態の粘着フィルムドレッシング１０は、身体の創傷部や、創傷部を被覆した殺菌パッド類を覆うように粘着し、創傷部を入浴や家事の際に湯水から保護し雑菌の侵入を防ぐために使用するものである。
【００１２】
粘着フィルムドレッシング１０は、身体に貼着される基材１２が設けられ、基材１２は防水性を有しかつ柔軟性と伸縮性を有するフィルムで作られ、フィルムをテープ状にカットして設けられている。基材１２を作るフィルムは、例えば１０μｍ〜１２０μｍの半透明なポリウレタンフィルムであり、透湿性を有するものである。その他、ポリオレフィン、ポリ塩化ビニル、ポリアミド、エチレン酢酸ビニル共重合体、ポリエステル、ポリビニルアルコール、ポリ塩化ビニリデン等のフィルムで作られてもよい。
【００１３】
基材１２の表面１２ｂには、基材１２よりも厚く弾力性及び剛性のある支持体２０が密着して取り付けられている。支持体２０は、基材１２から剥離できる程度に密着できる材質で作られ、基材１２の材質との組み合わせにより選択される。例えば基材１２がポリウレタンで作られている場合、ポリエステルやポリオレフィン、若しくは紙等が適している。支持体２０は、基材１２よりも幅方向が長いテープ状にカットされ、支持体２０の一対の側縁部２０ａは、基材１２の側縁部の両側の側方に、一定幅で突出している。支持体２０と基材１２との間の剥離強度は、運搬の衝撃や振動が加えられても容易に剥がれない程度に強く、また使用の際に基材１２から支持体２０を手で剥離することができるものである。
【００１４】
基材１２の裏面１２ａには、粘着剤１４が設けられている。粘着剤１４は医療用粘着剤であり、皮膚への刺激が少ない材料で作られている。粘着剤１４の材料は、アクリル系樹脂、天然ゴム、水系高分子エマルジョン、熱可塑性ゴム、ポリウレタン、ポリアクリルエステルコポリマー等を主成分とする。また、溶媒としては、水系、溶剤系いずれも使用することができるが、耐水性が高いものがよい。粘着剤１４の粘着力は、皮膚の発汗や動き等によって容易に剥離しない程度に強く、また皮膚から剥離するときに皮膚をいためないものである。
【００１５】
粘着剤１４の、基材１２と反対側の面には剥離紙１６が設けられている。剥離紙１６は、医療用絆創膏の剥離紙として用いられるものであり、シリコーン処理されたクラフト紙により形成されている。その他、例えばグラシン紙、シリコーン処理されたポリエチレンをラミネートしたクラフト紙、シリコーン処理されたポリエチレンテレフタレート（ＰＥＴ）フィルム等が適宜用いられる。剥離紙１６は、基材１２と同じ幅のテープ状にカットされ、剥離紙１６には剥離紙１６を分割する切断線１８が設けられている。切断線１８は、テープ状の幅方向の中心よりも一方の側縁部に近い位置に設けられ、長手方向に沿って設けられている。剥離紙１６の、粘着剤１４からの剥離力は、運搬の衝撃や振動が加えられても容易に剥がれない程度に強く、また使用の際に粘着剤１４から手で剥離することができるものである。
【００１６】
なお、支持体２０と基材１２との間の剥離強度と、前述の剥離紙１６の粘着剤１４からの剥離強度は、皮膚と粘着剤１４との間の剥離強度に比べてその１／２を超えないことが好ましい。これによれば、例えば発汗等で皮膚と粘着剤１４との間の粘着力が低下しても、支持体２０を基材１２から剥離する際に、皮膚から基材１２を引き剥がすことがない。また、支持体２０と基材１２の剥離強度を、剥離紙１６と粘着剤１４の剥離強度よりも大きくし、剥離紙１６の剥離時に基材１２から支持体２０が先に剥離することがないようにしたものである。
【００１７】
支持体２０の、基材１２と反対側の表面２０ｂには、支持体剥離片２２が粘着剤２４により、取り付けられている。支持体剥離片２２は、ポリプロプレンなどで作られ、予め粘着剤２４が片面に形成された粘着テープでもよい。支持体剥離片２２は、基材１２よりも幅方向が短く設けられ、支持体２０の中心に沿って設けられている。支持体剥離片２２の幅方向の中心には、支持体剥離片２２、粘着剤２４、支持体２０を貫通する溝状の除去部２６が形成されている。除去部２６の幅は、０．１ｍｍ〜２０ｍｍの間で、好ましくは１ｍｍ〜５ｍｍ程度である。除去部２６の底部には、基材１２の表面１２ｂが露出している。除去部２６の底部に隣接する基材１２と支持体２０の境界部分には、除去部２６の製造工程により、狭い幅で密着部２５が除去部２６に沿って剥離した非密着部２７が設けられている。
【００１８】
粘着フィルムドレッシング１０は、図１に示すように、支持体剥離片２２が外側にくるように紙製等のロール芯２８に巻き付けられ、収納・保管されている。
【００１９】
次に、粘着フィルムドレッシング１０の製造工程の一例について説明する。まず、所定形状のテープ状の基材１２の表面１２ｂに、テープ状の支持体２０を密着させる。次に、支持体２０に密着した基材１２の裏面１２ａに粘着剤１４を塗布し、さらに粘着剤１４に、切断線１８が形成された剥離紙１６を貼り付ける。また、支持体２０の表面２０ｂには、支持体剥離片２２を粘着剤２４を介して接着する。
【００２０】
そして、支持体剥離片２２側から、支持体剥離片２２、粘着剤２４、支持体２０を貫通する互いに平行な一対の切断線を形成し、一対の切断線の内側部分を引きちぎるように除去し、除去部２６を形成する。除去部２６の底部の、基材１２と支持体２０の境界部分の密着部２５は、一対の切断線の内側部分を引きちぎるときに剥がす方向に力がかかり、密着部２５が部分的に剥離して浮きが発生し、狭い幅で非密着部２７が形成される。これにより、基材１２から支持体２０を剥離する際に、剥離はじめが容易であり抵抗が少なく円滑に剥離される。
【００２１】
次に、この実施形態の粘着フィルムドレッシング１０の使用方法について説明する。まず、ロール状に巻いた粘着フィルムドレッシング１０を引き出して、創傷部やパッド類を覆う大きさに、ハサミ等で切断する。そして、剥離紙１６の切断線１８により分割された一方を、基材１２の裏面１２ａ側から剥離して粘着剤１４を露出させ、露出した粘着剤１４によりその部分の基材１２を皮膚に貼着する。次に、剥離紙１６の残された部分を剥離して粘着剤１４を露出させ、露出した粘着剤１４により残りの部分の基材１２を皮膚に貼着し、創傷部やパッド類を基材１２でカバーする。なお、剥離紙１６の切断線１８で分割された両側を、皮膚に貼着する前に両方とも剥離してもよい。この場合、支持体２０の側縁部２０ａが粘着剤１４の外側に突出するため、粘着剤１４を避けて側縁部２０ａを保持することができ、簡単に皮膚の所望の位置へ貼着することができる。
【００２２】
さらに、基材１２を粘着剤１４により皮膚に貼着した後、支持体剥離片２２の除去部２６で分割された一方を、除去部２６の端部をきっかけにして基材１２から引き剥がし、支持体２０も基材１２からら引き剥がして剥離する。さらに、基材１２に残された支持体２０を、支持体剥離片２２とともに基材１２から剥離し、粘着フィルムドレッシング１０の貼着が完了する。
【００２３】
この実施形態の粘着フィルムドレッシング１０によれば、基材１２を皮膚に貼着後、基材１２から支持体剥離片２２と支持体２０を容易に剥がすことができ、簡単できれいに身体に貼ることができる。支持体剥離片２２は、コシのあるフィルムで作られているため、保持し易く、基材１２から支持体２０を容易に剥がすことができる。支持体剥離片２２の除去部２６は、溝状に形成されて僅かな空間があるため、指が引っかかり易く支持体剥離片２２を引き起こし易くなっている。また、除去部２６の底部の、基材１２と支持体２０の境界部分には非密着部２７が設けられているため、この点からも支持体２０を剥がし易いものとなる。
【００２４】
支持体２０は、基材１２よりも幅方向が長く設けられ、支持体２０の一対の側縁部２０ａは、基材１２の側縁部の両側の側方に、一定幅で突出しているため、ここを保持することにより剥離紙１６を剥がして粘着剤１４が露出した状態でも、指が粘着剤１４に粘着されることが無く、自由に持つ位置を変えて、身体にきれいに貼ることができる。基材１２にしわが寄ったり、粘着剤１４同士がくっついてカールしたりすることが無く、円滑に貼ることができる。
【００２５】
また、粘着フィルムドレッシング１０の製造工程は、支持体２０や支持体剥離片２２に剥離の手がかりとなる非粘着部を設ける工程がなく、簡単なものである。支持体２０を剥離する手がかりである非密着部２７は、除去部２６を形成する工程で密着部２５が剥離して形成されるため、１つの製造工程で除去部２６と非密着部２７を設けることができ、製造工程が少なくなる。
【００２６】
なお、この発明の粘着フィルムドレッシングは、上記実施の形態に限定されるものではなく、適宜変更可能である。支持体の側縁部は、基材の両方の側縁部から突出しなくてもよく、一方の側縁部から突出してもよい。基材、支持体、支持体剥離片の素材や厚み、着色の有無は適宜変更可能であり、皮膚の状態を見ながら貼着する場合は基材や支持体が透明なフィルムであることが好ましい。ロール芯の素材や形状は、粘着フィルムドレッシングが円滑に巻き付けられるものであれば良い。支持体剥離片に除去部を設ける位置や、除去部の幅は、適宜変更可能である。
【図面の簡単な説明】
【００２７】
【図１】この発明の一実施形態の粘着フィルムドレッシングがロール芯に巻き付けられた状態を示す斜視図である。
【図２】この実施形態の粘着フィルムドレッシングの幅方向の縦断面図である。
【符号の説明】
【００２８】
１０  粘着フィルムドレッシング
１２  基材
１４，２４  粘着剤
１６  剥離紙
１８  切断線
２０  支持体
２２  支持体剥離片
２４  粘着剤
２５  密着部
２６  除去部
２７  非密着部
【図１】
0005271533.tif 000002
【図２】
0005271533.tif 000003